(57)【要約】【課題】ユーザ毎にそのユーザが必要な情報を適宜選択して迅速に提供することが可能な情報提供システム等を提供することを課題とする。【解決手段】本発明は、ユーザ情報を記憶した記憶装置１６と、記憶装置１６の情報に基づいてユーザ毎に適した情報を選択する情報選択手段２８と、情報選択手段２８により選択された情報をユーザの情報端末１側に提供して表示するための提供手段２１とを備えた情報提供システムにおいて、ユーザ情報とともに地域情報が記憶可能に記憶装置１６を構成し、ユーザが情報端末１を介してアクセスした際のアクセス情報及び記憶装置１６の情報に基づいてアクセスしているユーザを識別するユーザ識別手段２４と、該アクセス情報及び記憶装置１６の情報に基づいてアクセスしているユーザのいる地域９を識別する地域識別手段２７とを設け、情報選択手段２８が識別されたユーザ及び地域９におけるユーザ情報及び地域情報に基づいてアクセスしているユーザに適した情報を選択する。【選択図】図２
2010117861.tif 000002
【特許請求の範囲】
【請求項１】
ユーザ情報を記憶した記憶装置（１６）と、記憶装置（１６）の情報に基づいてユーザ毎に適した情報を選択する情報選択手段（２８）と、情報選択手段（２８）により選択された情報をユーザの情報端末（１）側に提供して表示するための提供手段（２１）とを備えた情報提供システムにおいて、ユーザ情報とともに地域情報が記憶可能に記憶装置（１６）を構成し、ユーザが情報端末（１）を介してアクセスした際のアクセス情報及び記憶装置（１６）の情報に基づいてアクセスしているユーザを識別するユーザ識別手段（２４）と、該アクセス情報及び記憶装置（１６）の情報に基づいてアクセスしているユーザのいる地域（９）を識別する地域識別手段（２７）とを設け、情報選択手段（２８）が識別されたユーザ及び地域（９）におけるユーザ情報及び地域情報に基づいてアクセスしているユーザに適した情報を選択する情報提供システム。
【請求項２】
記憶装置（１６）の情報に基づいてアクセスしているユーザに適した広告情報を選択する広告情報選択手段（２９）を設け、前記提供手段（２１）が広告情報選択手段（２９）により選択された広告情報を該ユーザに提供する請求項１の情報提供システム。
【請求項３】
建物情報を、その建物（１１）がどの地域（９）にあるかという情報と関連付けて記憶装置（１６）に記憶し、地域識別手段（２７）がユーザの情報端末（１）がある建物（１１）を、上記アクセス情報及び記憶装置の情報に基づいて認識することによりそのユーザのいる地域（９）を識別する請求項１又は２の情報提供システム。
【請求項４】
建物（１１）が集合住宅である場合に該集合住宅（１１）における住戸情報を記憶可能に記憶装置（１６）を構成し、アクセス情報及び記憶装置（１６）の情報に基づいてアクセスしているユーザのいる住戸（１２）を識別する住戸識別手段（２６）を備え、情報選択手段（２８）が識別された住戸（１２）の住戸情報も利用して情報を選択する請求項３の情報提供システム。
【請求項５】
ユーザがアクセスした際のアクセス情報をログとして記憶するログ記憶部（２３）を備え、ログをそのユーザのユーザ情報、住戸情報又は地域情報と関連付けする関連付手段（１８）を設けた請求項４の情報提供システム。
【請求項６】
請求項４又は５の情報提供システム（７）と集合住宅（１１）とをワイドエリアネットワーク（８）を介して接続し、集合住宅（１１）の住戸（１２）から前記情報提供システム（７）における通信経路の途中に、その住戸（１２）からの通信信号であることを示す住戸識別子を付加する住戸識別子付加手段（３２）を設け、前記住戸識別手段（３２）が上記住戸識別子を利用してアクセスしているユーザの住戸（１２）を識別するネットワークサービスシステム。
【請求項７】
住戸識別子付加手段（３２）が住戸（１２）からの通信経路における他の住戸（１２）からの通信経路と合流する手前側でポート番号を固定するポート番号固定手段により構成され、前記住戸識別手段（２６）がユーザの情報端末（１）側からのポート番号を参照することによりそのユーザの住戸（１２）を識別する請求項６のネットワークサービスシステム。
【発明の詳細な説明】
【技術分野】
【０００１】
この発明は、情報提供システム及びそれを利用したネットワークサービスシステムに関する。
【背景技術】
【０００２】
近年、インターネットの発達によりコンテンツ等の様々情報を含むサイトが多数開設され、今日に至っている。そして、これに伴って上記多数のサイト上の情報から所望の情報をユーザに対して提供する種々の情報提供システムが開発され、公知になっている。ただし、これらの情報提供システムの多くは、不特定多数のユーザを対象にしたキーワード検索システムが主流であり、検索技術の低いユーザには満足のいく情報が提供されない場合がある一方で、検索技術を有するユーザでも最適なキーワードを探すのに手間が掛かる場合があるという欠点を有していた。
【０００３】
上記欠点に対して、ユーザ情報を記憶した記憶装置と、記憶装置の情報に基づいてユーザ毎に適した情報を選択する情報選択手段と、情報選択手段により選択された情報をユーザの情報端末側に提供して表示するための提供手段とを備えた特許文献１に示す情報提供システムが公知になっている。
【特許文献１】特開２００８−３３３８６号公報
【発明の開示】
【発明が解決しようとする課題】
【０００４】
しかし、上記文献の情報提供システムは、情報を提供するユーザを特定するためにユーザが情報端末側でユーザ認証のための作業を行う必要があるため、ユーザが必要な情報を得るまでに要する時間が長くなることがあるという課題がある
本発明は、上記課題を解決し、ユーザ毎にそのユーザが必要な情報を適宜選択して迅速に提供することが可能な情報提供システム等を提供することを目的としている。
【課題を解決するための手段】
【０００５】
上記課題を解決するため本発明は、第１に、ユーザ情報を記憶した記憶装置１６と、記憶装置１６の情報に基づいてユーザ毎に適した情報を選択する情報選択手段２８と、情報選択手段２８により選択された情報をユーザの情報端末１側に提供して表示するための提供手段２１とを備えた情報提供システムにおいて、ユーザ情報とともに地域情報が記憶可能に記憶装置１６を構成し、ユーザが情報端末１を介してアクセスした際のアクセス情報及び記憶装置１６の情報に基づいてアクセスしているユーザを識別するユーザ識別手段２４と、該アクセス情報及び記憶装置１６の情報に基づいてアクセスしているユーザのいる地域９を識別する地域識別手段２７とを設け、情報選択手段２８が識別されたユーザ及び地域９におけるユーザ情報及び地域情報に基づいてアクセスしているユーザに適した情報を選択することを特徴としている。
【０００６】
第２に、記憶装置１６の情報に基づいてアクセスしているユーザに適した広告情報を選択する広告情報選択手段２９を設け、前記提供手段２１が広告情報選択手段２９により選択された広告情報を該ユーザに提供することを特徴としている。
【０００７】
第３に、建物情報を、その建物１１がどの地域９にあるかという情報と関連付けて記憶装置１６に記憶し、地域識別手段２７がユーザの情報端末１がある建物１１を、上記アクセス情報及び記憶装置の情報に基づいて認識することによりそのユーザのいる地域９を識別することを特徴としている。
【０００８】
第４に、建物１１が集合住宅である場合に該集合住宅１１における住戸情報を記憶可能に記憶装置１６を構成し、アクセス情報及び記憶装置１６の情報に基づいてアクセスしているユーザのいる住戸１２を識別する住戸識別手段２６を備え、情報選択手段２８が識別された住戸１２の住戸情報も利用して情報を選択することを特徴としている。
【０００９】
第５に、ユーザがアクセスした際のアクセス情報をログとして記憶するログ記憶部２３を備え、ログをそのユーザのユーザ情報、住戸情報又は地域情報と関連付けする関連付手段１８を設けたことを特徴としている。
【００１０】
第６に、情報提供システム７と集合住宅１１とをワイドエリアネットワーク８を介して接続し、集合住宅１１の住戸１２から前記情報提供システム７における通信経路の途中に、その住戸１２からの通信信号であることを示す住戸識別子を付加する住戸識別子付加手段３２を設け、前記住戸識別手段３２が上記住戸識別子を利用してアクセスしているユーザの住戸１２を識別することを特徴としている。
【００１１】
第７に、住戸識別子付加手段３２が住戸１２からの通信経路における他の住戸１２からの通信経路と合流する手前側でポート番号を固定するポート番号固定手段により構成され、前記住戸識別手段２６がユーザの情報端末１側からのポート番号を参照することによりそのユーザの住戸１２を識別することを特徴としている。
【発明の効果】
【００１２】
以上のように構成される本発明によれば、アクセス情報及び記憶装置の情報に基づいてアクセスしているユーザを識別するユーザ識別手段を設けているため、ユーザの情報端末側でユーザ認証作業を行う場合と比較して、ユーザが必要な情報を得るまでに要する時間を短くできるという効果がある他、アクセスしているユーザのいる地域を識別する地域識別手段を設け、ユーザのいる地域の情報も提供されるユーザに提供する情報に反映されるため、ユーザがより有益な情報を得ることができるという効果がある。
【００１３】
また、ユーザに適した広告情報を選択する広告情報選択手段を設けることにより、ユーザにより多くの有益な情報が提供されるという効果がある。
【００１４】
また、建物が集合住宅である場合に該集合住宅における住戸情報を記憶可能に記憶装置を構成し、アクセス情報及び記憶装置の情報に基づいてアクセスしているユーザのいる住戸を識別する住戸識別手段を備え、情報選択手段が識別された住戸の住戸情報も利用して情報を選択することにより、ユーザにより有益な情報を提供できるという効果がある。
【００１５】
さらに、ユーザがアクセスした際のアクセス情報をログとして記憶するログ記憶部を備え、ログをそのユーザのユーザ情報、住戸情報又は地域情報と関連付けする関連付手段を設けることにより、ユーザ情報、住戸情報又は地域情報に関連付けされた上記アクセス情報を利用して、より有益な情報をユーザに提供可能になるという効果がある。
【発明を実施するための最良の形態】
【００１６】
図１は、本発明を適用したネットワークサービスシステムにアクセスしたユーザ側の情報端末に表示される情報提供画面の簡略図である。ユーザが、情報端末１（図２，３参照）にインストールされたウェブブラウザを介して本ネットワークサービスシステムにアクセスすると、上記情報端末１のディスプレイ（表示部）には、同図に示すように、情報提供画面であるブラウザ画面２が表示される。
【００１７】
ブラウザ画面２は、左右の一方箇所が一般情報欄３になり、他方箇所が広告欄４になり、一般情報欄３と広告欄４の間の中央箇所が地域情報欄６になる。一般情報欄３には、アクセスしているユーザに適した一般的なコンテンツ情報であるサイト情報が表示され、広告欄４には、アクセスしているユーザに適した広告情報が表示され、地域情報欄６には、アクセスしているユーザに適し且つこのユーザのいる地域に関係したコンテンツ情報であるサイト情報が表示される。以下、このネットワークサービスシステムの構成について詳述する。
【００１８】
図２は、本発明を適用したネットワークサービスシステムの構成を示すブロック図である。本ネットワークサービスシステムは、主に、情報提供システム７と、この情報提供システムとワイドエリアネットワーク（ＷＡＮ）であるインターネット８を介して接続されたローカルエリアネットワーク内のユーザが使用する複数の情報端末１とから構成されている。
【００１９】
上記各情報端末１は、ある地域９内の一に建てられた集合住宅（建物）１１内の住戸１２内に設けられたパソコン、ＰＤＦ等であり、ＬＡＮカードや無線ＬＡＮカード等のＴＣＰ／ＩＰに対応して１９２．１６８．１．２等のプライベートＩＰアドレスが固定的に付されるネットワークインターフェイス（図示しない）を有している。
【００２０】
１つの建物９内には、複数の上記情報端末１が上記ネットワークインターフェイスを介して接続されるローカルエリアネットワーク（ＬＡＮ）である内部ネットワーク１３が構築されている。内部ネットワーク１３は、ルータ１４を介して、インターネット８と接続されている。
【００２１】
このルータ１４は、一般的なルータと同様に、インターネット８側に設けられてグローバルＩＰアドレスが割り当てられる前述のものと同一構成のネットワークインターフェイス（図示しない）と、内部ネットワーク１３側に設けられてその内部ネットワーク１３のプライベートＩＰアドレスが割り当てられるネットワークインターフェイスとを有しており、内部ネットワーク１３内の情報端末１のプライベートＩＰアドレスをグローバルＩＰアドレスにＩＰマスカレードし、情報端末１がインターネット８に接続されることを可能にしている。ちなみに、１つの建物９内では、プライベートＩＰアドレスが重複しないように、情報端末１及びルータ１４にプライベートＩＰが付されている。
【００２２】
上記情報提供システム７は、種々の情報を記憶するハードディスク等の記憶装置１６と、ユーザが情報端末１を介してアクセスした際のアクセス情報及び記憶装置１６の情報から種々の識別処理を行う識別部１７と、識別部１７の各種識別結果に基づいて記憶装置１６内の情報との関連付けを行う関連付手段１８と、記憶装置１６の情報の分析を行いユーザの情報端末１に提供する広告情報やサイト情報の選択を行う分析部１９と、分析部１９の分析選択結果に基づいて広告情報及びサイト情報をユーザの情報端末１に提供する提供手段２１とを備えている。
【００２３】
記憶部１６は、ユーザ情報、端末情報、住戸情報、建物情報及び地域情報等をデータベースとして記憶するデータベース部２２と、ユーザの情報端末を介したアクセス情報をログとして記憶するログ記憶部２３とを有している。ちなみに、ログ記憶部２３は、データベース２２とは別の記憶装置に設けてもよい。
【００２４】
識別部１７は、上記アクセス情報及び記憶装置１６の情報に基づいてアクセスしている情報端末１を識別することによりその情報端末１のユーザを識別するユーザ識別手段２４と、上記アクセス情報及び記憶装置１６の情報に基づいてアクセスしている情報端末１がある住戸１２を識別する住戸識別手段２６と、上記アクセス情報及び記憶装置１６の情報に基づいてアクセスしている情報端末１がある地域９を識別する地域識別手段２７とを備えている。
【００２５】
関連付手段１８は、上記ログ記憶部２３に記憶されたアクセス情報が、どの地域９の、どの住戸１２の、どのユーザからのものであるかを関連付けすうように構成されている。このようにアクセス情報を関連付けしておくことにより、どのサイトにどのようなユーザがアクセスしているのか、どのサイトにどのような地域のユーザがアクセスしているのか、どのサイトにどのような住戸に住んでいるユーザがアクセスしているのか等の解析を行い、この解析結果を利用することにより、より有益な情報をユーザに提供することが可能になる。
【００２６】
分析部１９は、サイト情報選択手段（情報選択手段）２８及び広告情報選択手段２９を備えている。
【００２７】
サイト情報選択手段２８は、情報端末１を介してアクセスしたユーザに対して、ユーザ識別手段２４により識別されたユーザのユーザ情報、住戸識別手段２６により識別された住戸の住戸情報及び地域識別手段２７により識別された地域の地域情報を、記憶装置１６のデータベース２２から取得し、取得した情報に適した一般情報サイトを前述した一般情報欄３に表示する情報として選択するとともに、取得した情報に適した地域情報サイトを前述した地域情報欄６に表示する情報として選択するように構成されている。
【００２８】
広告情報選択手段２９は、情報端末１を介してアクセスしたユーザに対して、ユーザ識別手段２４により識別されたユーザのユーザ情報、住戸識別手段２６により識別された住戸の住戸情報及び地域識別手段２７により識別された地域の地域情報を、記憶装置１６のデータベース２２から取得し、取得した情報に適した広告を前述した広告欄４に表示する情報として選択するように構成されている。
【００２９】
図３は、本ネットワークサービスシステムを搭載したコンシェルジュシステムの概略図であり、図４は、図３に示すシステムのデータベース部の構成を示す概念図であり、図５は、関連付手段の構成例を示す対応表である。
【００３０】
本コンシェルジュシステムのユーザ側について説明すると、集合住宅１１であるマンションには、各階にハブ（ＨＵＢ）３１が設置され、各ハブ３１の１つの接続ポートには予め定められたそのマンション１１内の１つの住戸１２が割り当てられている。そして、ハブ３１の各接続ポートは、ルータ３１に搭載された住戸識別子付加手段であるポート番号固定手段３２（図２参照）によって、ポート番号が固定されている。
【００３１】
ポート番号とは、ＴＣＰ／ＩＰ通信で用いられる１６ビット、０〜６５５３５までの番号で、通信時における送信側のポート番号であるソースポート番号と、受信側のポート番号であるディスティネーションポート番号との２種類があり、上記ポート番号固定手段３２によって固定されるポート番号はソースポート番号である。
【００３２】
上記構成から、各住戸１２にはマンション１１内で固有のポート番号が付けられており、マンション１１内の住戸１２から情報端末１を用いて、ユーザがインターネット８を介して情報提供システム７にアクセスした場合には、地域識別手段２７が、マンション１１に設置されたルータ１４に付けられたグローバルＩＰアドレスを検出することにより、アクセスしてきた情報端末１のある建物１１を識別した後、住戸識別手段２６が、前述の手段により固定されたソースポート番号を検出することにより、地域識別手段２７により識別された該建物１１内のどこの住戸１２に情報端末１があるのかを識別可能になる。
【００３３】
すなわち、ポート番号は建物１１内の住戸１２を識別するための住戸識別子となり、この住戸識別子が、各住戸１２からインターネット８への通信経路における他の住戸１２からの通信経路と合流する手前側で住戸識別子付加手段３２によって付加されるようになっている。
【００３４】
また、ユーザの使用する情報端末１は、地域識別手段２７が前述の手段によってアクセスしてきた情報端末１のある建物１１を識別した後、ユーザ識別手段２４が、建物１１内のプライベートＩＰアドレスを検出することにより、アクセスしてきた情報端末１を識別することが可能になる。
【００３５】
本コンシェルジュシステムの情報提供システム７等からなる管理システム３０について説明すると、管理システム３０は、ルータ３３及びファイヤーウォール（Ｆｉｒｅｗａｌｌ）が構築されたセキュリティサーバ３４を介してインターネット８に接続されている。
【００３６】
この管理システム３０は、ユーザの情報端末１や管理システム３０で利用されるＤＮＳサーバ３６と、管理システム３０をユーザに提供する業者等の情報が掲載されたサイトをユーザ側の情報端末１に提供表示するためのＷｅｂサーバ３７と、ＳＴＭＰサーバやＰＯＰサーバやＩＭＡＰサーバ等からなりユーザ側や管理システム３０側で利用されるメールサーバ３８と、ＦＴＰサーバ３９と、前述の関連付手段１８がインストールされたログ管理サーバ４１と、前述の提供手段２１がインストールされてユーザの情報端末１に有益な情報を提供してコンシェルジュサービス等を行うコンシェルジュＷＥＢサーバ４２と、ユーザが情報端末１を介して管理システム３０にアクセスし上記コンシェルジュサービスを利用等して買い物をした際等の課金を管理する課金管理サーバ４３と、前述の記憶装置１６がハードディスクとして装備されたデータベースサーバ４４と、前述のサイト情報選択手段２８及び広告情報選択手段２９よりなる分析部１９を有する分析サーバと４６と、広告情報選択手段２９により選択される可能性がある全広告情報が更新可能に記憶されるとともにユーザにオプトインメールを配信するメールサーバにもなる広告配信サーバ４７と、管理システム３０にインターネット８を介して接続された各情報端末１上で実行されているジョブを管理するジョブ管理サーバ４８と、複数の情報端末１の余った処理能力をジョブ管理サーバ４８を介して利用してグリッドコンピューティングを行うことにより大学や企業等の研究機関がスーパーコンピュータ等を用いて行う高負荷の演算処理を代行する処理代行サーバ４９と、を備えている。
【００３７】
上記データベースサーバ４４のデータベース部２２は、ＳＱＬやＯｒａｃｌｅ等のリレーショナブルデータベースであり、ユーザ情報を格納記憶するユーザテーブル５１と、住戸情報を格納記憶する住戸テーブル５２と、情報端末情報を格納記憶する情報端末テーブル５３と、建物情報を格納記憶する建物テーブル５４と、地域情報を格納記憶する地域テーブル５６とを有している。
【００３８】
地域テーブル５６は、フィールドとして、「地域ＩＤ」と、「地域名」と、「地域属性」とを有している。「地域名」は、県名又は市町村名或いはさらに詳細な地域名称になる。「地域属性」は、地域の住民が好む嗜好等で大まかな分類をした場合において、その地域がどの分類に属するかを示すデータである。
【００３９】
建物テーブル５４は、フィールドとして、「建物ＩＤ」と、「建物名」と、前述の地域テーブルを参照するための「地域ＩＤ」と、その建物１１に設置されたルータ１４に付されたグローバルＩＰを示す「ＩＰアドレス」とを有している。データベース部２２は、地域テーブル５６から建物テーブル５４に、１対多のリレーションシップを行うようにを構成され、建物１１がどの地域９に建てられているのかを示している。このため、前述の地域識別手段２７は、ルータ１４のグローバルＩＰアドレスを検出し、そのＩＰアドレスに基づいて建物テーブル５４から建物１１を識別した後、上記リレーションシップによりその建物１１のある地域９を識別することが可能になる。
【００４０】
情報端末テーブル５３は、フィールドとして、「情報端末ＩＤ」と、建物テーブル５４を参照するための「建物ＩＤ」と、その情報端末１に固定的に付されたプライベートＩＰアドレスを示す「ＩＰアドレス」とを有している。建物テーブル５４から情報端末テーブル５３に、１対多のリレーションシップを行うようにデータベース部２２を構成し、情報端末１がどの建物１１に設置されているのかを示している。このため、前述のユーザ識別手段２４は、地域識別手段２７によって建物１１が識別された後、プライベートＩＰアドレスからその建物１１のユーザを識別することが可能になる。
【００４１】
住戸テーブル５２は、フィールドとして、「住戸ＩＤ」と、「部屋番号」と、建物テーブル５４を参照するための「建物ＩＤ」と、その住戸１２に割り当てられた住戸識別子であるポート番号を示す「ポート」と、「住居人属性」とを有している。「住居人属性」は、その住戸１２に住んでいる住居人構成を夫婦二人、夫婦二人及び子供二人等で、大まかに分類した場合において、その分類のどこに属するかを示すデータである。建物テーブル５４から住戸テーブル５２に、１対多のリレーションシップを行うようにデータベース部２２を構成し、住戸１２がどの建物１１にあるのかを示している。このため、前述の住戸識別手段２６は、地域識別手段２７によって建物１１が識別された後、住戸識別子であるポート番号からその建物１１の住戸１２を識別することが可能になる。
【００４２】
ユーザテーブル５１は、フィールドとして、「ユーザＩＤ」と、住戸テーブル５２を参照するための「住戸ＩＤ」と、情報端末テーブル５３を参照するための「情報端末ＩＤ」と、ユーザの名前を示す「名前」と、ユーザの年齢を示す「年齢」と、ユーザの性別を示す「性別」と、ユーザの趣味を示す「趣味」と、ユーザの嗜好を示す「嗜好」とを有している。「名前」、「年齢」、「性別」、「趣味」及び「嗜好」は、ユーザから予めアンケートを取っておくことにより、情報収集を行う。
【００４３】
情報端末テーブル５３からユーザテーブル５１に、１対多のリレーションシップを行うようにデータベース部２２を構成し、ユーザがどの情報端末１を利用しているのかを示している。このため、前述のユーザ識別手段２４は、前述のようにして情報端末１を検知することによりユーザを識別することが可能になる。ちなみに、１対多のリレーションシップであるため、ユーザが複数の情報端末１を使用する場合にも対応可能となる。
【００４４】
住戸テーブル５２からユーザテーブル５１に、１対多のリレーションシップを行うようにデータベース部２２を構成し、ユーザがどの住戸１２にいるのかを示している。ちなみに、住戸１２の識別はポート番号により行い、情報端末１の識別はＩＰアドレスにより行うため、このリレーションシップは必須ではないが、何らかの原因によりポート番号が検出できない場合に備えて、このリレーションシップを行う。
【００４５】
上記ログ管理サーバ４１と分析サーバ４６の一方又は両方が、前述の識別部１７を有している。ちなみに、一方にのみ識別部１７を設ける場合には、他方が一方の識別部１７の識別結果を利用できるように、管理システム３０を構成すればよい。ちなみに、識別部１７は、管理システム３０のセキュリティサーバ３４に情報端末１がアクセスした場合に、前述した各種識別処理を行う。
【００４６】
ログ管理サーバ４１の関連付手段１８は、例えば図５に示すような関連付テーブル５７を利用して、ユーザ情報、住戸情報及び地域情報と、アクセス情報との関連付けを行う。関連付テーブル５７は、フィールドとして、ログ記憶部２３に記憶されたユーザのアクセス情報から所定のアクセス情報を識別するためのアクセス時間等の識別情報を示す「識別情報」と、「情報端末ＩＤ」と、「住戸ＩＤ」と、「建物ＩＤ」とを有しており、これによって、そのアクセス情報が、どの地域９のどの住戸１２のどのユーザからのものであるのかが分かる。
【００４７】
この情報を利用することにより、例えば、あるサイトについて、どの年代の人がどれくらいの頻度、割合でアクセスしていのか、どの性別の人がどれくらいの頻度、割合でアクセスしているのか、どの住居人属性を有する人がどれくらいの頻度、割合でアクセスしているのか、どの地域属性を有する人がどれくらの頻度、割合でアクセスしているのか等を解析して評価することが可能になる。
【００４８】
分析サーバ４６のサイト情報選択手段２８及び広告情報選択手段２９は、上記評価結果やユーザの趣味、嗜好等に基づいて、最適なサイト情報及び広告情報を選択し、その選択したサイド及び広告をコンシェルジュＷＥＢサーバ４２を介してユーザの情報端末１に提供する。
【００４９】
以上のように構成されるコンシェルジュシステムによれば、ユーザに質の高いサイト情報及び広告情報を提供することにより、広告主から効率的に広告料が回収できるとともに、グリットコンピューティングによって利益を得ることも可能である他、アフィリエイト
等により利益を得ることも可能であるため、ユーザには無料でインターネット環境が利用可能な情報端末を提供することができ、その結果、建物１１の物件的価値も向上する。
【００５０】
なお、ユーザ識別手段２４は、情報端末１のネットワークインターフェイスに付されたマックアドレス（Ｍａｃアドレス）を検出して、情報端末１を識別してもよい。これによって、建物テーブル５４から情報端末テーブル５３へのリレーションシップを行う必要が無くなり、独自に情報端末１を識別することが可能になる。そして、この場合には、情報端末１が内部ネットワーク１３を介すこと無く直にインターネット８に接続された際や、ユーザがユーザテーブル５１に登録されている住戸１２以外から管理システム３０にアクセスした際にも、その情報端末１を識別することが可能になる。
【図面の簡単な説明】
【００５１】
【図１】本発明を適用したネットワークサービスシステムにアクセスしたユーザ側の情報端末に表示される情報提供画面の簡略図である。
【図２】本発明を適用したネットワークサービスシステムの構成を示すブロック図である。
【図３】本ネットワークサービスシステムを実際に搭載したコンシェルジュシステムの概略図である。
【図４】図３に示すシステムのデータベース部の構成を示す概念図である。
【図５】関連付手段の構成例を示す対応表である。
【符号の説明】
【００５２】
１  情報端末
８  インターネット（ワイドエリアネットワーク，ＷＡＮ）
９  地域
１１  建物（集合住宅，マンション）
１２  住戸
１６  ハードディスク（記憶装置）
１８  関連付手段
２１  ＷＥＢサーバ（提供手段）
２３  ログ記憶部
２４  ユーザ識別手段
２６  住戸識別手段
２７  地域識別手段
２８  サイト情報選択手段（情報選択手段）
２９  広告情報選択手段
３２  ポート番号固定手段（住戸識別子付加手段）
【図１】
2010117861.tif 000003
【図２】
2010117861.tif 000004
【図３】
2010117861.tif 000005
【図４】
2010117861.tif 000006
【図５】
2010117861.tif 000007